(57)【特許請求の範囲】
【請求項１】
空気と冷媒との間で熱交換する熱交換器及び前記熱交換器へ空気を送る送風機を有した空気調和機本体と、
先端部が下向きに曲げられた爪と、天井から吊り下げられた吊りボルトを通す長穴と、この長穴に前記吊りボルトを導入するガイドスリットとを有し、前記空気調和機本体の側面の複数箇所に固定された吊り金具と、
前記吊り金具の下側に配置され、前記吊り金具の長穴と同じ向きで、前記吊りボルトを通す長穴を有した爪付きワッシャーと、を備え、
複数箇所に固定された前記吊り金具のそれぞれの前記長穴は、
互いに平行に配設され、
前記爪付きワッシャーは、
前記吊り金具の前記ガイドスリットを塞ぐ形状に形成されるとともに、前記吊り金具の前記ガイドスリットに係合する突起と、前記吊り金具の両側端面に係合する爪と、を有し、
前記吊り金具及び前記爪付きワッシャーは、
前記吊りボルトに通した上下１組のナット及びワッシャーにより挟まれ固定されていることを特徴とする天井吊り下げ型空気調和機。
【請求項２】
前記爪付きワッシャーは、
その長穴に前記吊りボルトを導入するガイドスリットを有し、
前記爪付きワッシャーのガイドスリットは、
前記吊り金具のガイドスリットと重ならないように設けられていることを特徴とする請求項１記載の天井吊り下げ型空気調和機。
【請求項３】
前記爪付きワッシャーは、
前記吊り金具の下向きの爪の内側に当接する端面を有することを特徴とする請求項１又は２記載の天井吊り下げ型空気調和機。
【発明の詳細な説明】
【技術分野】
【０００１】
本発明は、天井吊り下げ型空気調和機に関し、特に、振動に対し空気調和機本体の脱落を防止できるようにした天井吊り下げ型空気調和機に関するものである。
【背景技術】
【０００２】
従来の天井吊り下げ型空気調和機の取付装置は、天井から吊り下げられた４本の吊りボルトに、空気調和機本体の側面の４箇所に固定された吊り金具をそれぞれ上下１組のワッシャーおよびナットで挟み、締め付け固定するようになっている。吊り金具は、吊りボルトの位置に合せて微調整できるように設けられた長穴と、この長穴に吊りボルトを導入するガイドスリットとを有し、さらに先端部が下向きに曲げられた爪を有している。そして、この下向きの爪は、吊りボルトに配置した下側のワッシャーが爪の内側に引っ掛かるように形成されている。
【０００３】
このような従来の取付装置としては、吊り金具の先端部の爪を、一方は下向きに、他方は上向きに形成したものが提案されている（例えば、特許文献１参照）。
また、開口部および耳部を有するＵ字型の上側ワッシャーを吊り金具上に配置し、開口部を介して吊りボルトに取り付け、その際、耳部を吊り金具の曲げ部に引っ掛けるようにしたものもある（例えば、特許文献２参照）。
【先行技術文献】
【特許文献】
【０００４】
【特許文献１】特開平１０−２６７３４８号公報
【特許文献２】実開平６−１４８２７号公報
【発明の概要】
【発明が解決しようとする課題】
【０００５】
しかしながら、特許文献１に示されるような取付装置の固定構造では、例えば、大地震で空気調和機本体が大きく上下・左右に揺らされたとき、空気調和機本体の上方部分の吊りボルトが『く』の字に変形し、空気調和機本体が大きく傾き、吊りボルトに締結された吊り金具に局所的な力が加わり、更に地震で空気調和機本体が継続して揺らされることにより、吊り金具の先端部が上下に変形し、ガイドスリット部の幅が変形により大きく広がり、吊りボルトに取り付けられた下側ワッシャーが吊り金具の爪に引っ掛からないようになり、吊り金具から下側ワッシャーおよび吊りボルトが外れ、空気調和機本体の脱落に至る可能性があった。
また、特許文献２においては、大地震で吊り金具が変形し、上側ワッシャーの耳部が吊り金具の曲げ部から外れた場合には、上記と同様、空気調和機本体の脱落に至る可能性があった。
【０００６】
本発明は、上記のような課題を解決するためになされたもので、振動で空気調和機本体が大きく上下・左右に揺らされても吊りボルトが吊り金具から外れないようにし、空気調和機本体の脱落を防止する天井吊り下げ型空気調和機を提供することを目的としている。
【課題を解決するための手段】
【０００７】
本発明に係る天井吊り下げ型空気調和機は、空気と冷媒との間で熱交換する熱交換器及び前記熱交換器へ空気を送る送風機を有した空気調和機本体と、先端部が下向きに曲げられた爪と、天井から吊り下げられた吊りボルトを通す長穴と、この長穴に前記吊りボルトを導入するガイドスリットとを有し、前記空気調和機本体の側面の複数箇所に固定された吊り金具と、前記吊り金具の下側に配置され、前記吊り金具の長穴と同じ向きで、前記吊りボルトを通す長穴を有した爪付きワッシャーと、を備え、複数箇所に固定された前記吊り金具のそれぞれの前記長穴は、互いに平行に配設され、前記爪付きワッシャーは、前記吊り金具の前記ガイドスリットを塞ぐ形状に形成されるとともに、前記吊り金具の前記ガイドスリットに係合する突起と、前記吊り金具の両側端面に係合する爪と、を有し、前記吊り金具及び前記爪付きワッシャーは、前記吊りボルトに通した上下１組のナット及びワッシャーにより挟まれ固定されていることを特徴としたものである。
【発明の効果】
【０００８】
本発明によれば、吊りボルトに締結された吊り金具の下側に爪付きワッシャーが介在し、かつ、吊り金具の下向きの爪と爪付きワッシャーの上向きの爪とにより吊り金具と爪付きワッシャーとが重ね合わせた状態に係合しているため、例えば、大地震で空気調和機本体が大きく上下・左右に揺らされ空気調和機本体が大きく傾いた後で更に揺らされても、吊り金具と爪付きワッシャーが局所的な力に抵抗でき、吊り金具の変形を抑制することができる。
【０００９】
また、吊り金具と爪付きワッシャーを変形させるだけの力を受けても、空気調和機本体に固定された吊り金具の下側に爪付きワッシャーが配置されており、爪付きワッシャーは吊り金具のガイドスリットを塞ぐ形状に形成され、空気調和機本体に固定された吊り金具の下向きの爪に引っ掛かり、かつ、爪付きワッシャーの爪が吊り金具の両側端面に係合しているため、爪付きワッシャーが吊り金具から外れることがなく、空気調和機本体の脱落を防止することができる。
【図面の簡単な説明】
【００１０】
【図１】本発明の実施の形態１に係る天井吊り下げ型空気調和機の取付状態を示す斜視図である。
【図２】図１に示す天井吊り下げ型空気調和機の取付装置の構成を示す部分斜視図である。
【図３】図１に示す天井吊り下げ型空気調和機の取付後の状態を示す部分斜視図である。
【図４】本発明の実施の形態１の爪付きワッシャーの斜視図である。
【図５】本発明の実施の形態２の爪付きワッシャーの斜視図である。
【発明を実施するための形態】
【００１１】
以下、本発明の実施の形態を図面に基づいて説明する。
【００１２】
実施の形態１．
先ず、本実施の形態に係る吊り下げ型空気調和機の定義を説明する。本実施の形態に係る吊り下げ型空気調和機は、室内空気を空気調和するために室内空気と冷媒との間で熱交換する熱交換器と、熱交換器へ室内の空気を送る送風機とを有し、天井から吊り下げられた吊りボルトに空気調和機本体を締結し、空気調和機本体を吊り下げた状態に取り付けた空気調和機である。具体的には、本実施の形態の例として挙げる化粧パネルを有し、化粧パネルが室内空間に露出した天井埋込型空気調和機や、その他に室内空間に空気調和機本体が露出した天吊型空気調和機のタイプがあり、本実施の形態に係る吊り下げ型空気調和機は、上記の天井埋込型および天吊型の空気調和機を含むものである。ここでは、天井埋込型空気調和機を例に挙げ、以下の説明を行う。但し、天井埋込型空気調和機はあくまで一例であり、これに限定されるものではない。
【００１３】
図１は、本発明の実施の形態１に係る天井吊り下げ型空気調和機１００の取付状態を示す斜視図である。なお、以下の説明では、天井吊り下げ型空気調和機１００を単に「空気調和機１００」と記述するものとする。
図１に示すように、空気調和機１００は、室内空間１の空気調和を行う本体２を備え、この本体２内には、図示しない室内送風機と、室内空気と冷媒との間で熱交換を行う室内機熱交換機（図示せず）とを収容している。また、本体２の下方には、吸込グリル３ａと、４辺の各辺に平行に配置された吹出口３ｂとを有する化粧パネル３が本体２に取り付けられており、本体２の側面には吊り金具４が４箇所固定されている。
一方、天井５からは４本の吊りボルト６が吊り下げられており、吊り金具４は吊りボルト６に任意の位置で締結されている。
【００１４】
図２は、図１に示す空気調和機１００の取付装置の構成を示す部分斜視図で、本体２の吊り金具４を吊りボルト６に締結する前の状態を示すものである。
吊りボルト６には、あらかじめ上側ナット８ｂおよび上側ワッシャー７ｂと、後述する本実施の形態１の爪付きワッシャー９と、下側ワッシャー７ａおよび下側ナット８ａとが装着されている。また、爪付きワッシャー９と、下側ワッシャー７ａおよび下側ナット８ａとは、所望の高さにて吊りボルト６にセットされている。
【００１５】
吊り金具４は、逆Ｌ字状に曲げられた垂直部４ａと水平部４ｂとを有し、垂直部４ａをボルトにより本体２の側面に固定し、水平部４ｂに、吊りボルト６を通す長穴４ｃと、長穴４ｃに吊りボルト６を側方から導入するガイドスリット４ｄとを有し、さらに水平部４ｂの先端部は下向きに曲げられた爪４ｅを有する構成となっている。
各吊り金具４の長穴４ｃは、互いに平行に配設され、吊りボルト６を長穴４ｃに沿って相対的に位置を調整することで、本体２の水平方向の位置を調整することができる。
ガイドスリット４ｄは、一般的に、長穴４ｃに対し直角に設けられ、吊りボルト６に側方から挿入し、長穴４ｃ内に吊りボルト６を導くための溝孔であり、これにより吊りボルト６を長穴４ｃに通す作業が容易になる。
下向きの爪４ｅは、下側ワッシャー７ａを係止するためのワッシャー係止用爪である。
【００１６】
爪付きワッシャー９は、吊りボルト６に通したうえで下側ワッシャー７ａの上に配置される。また、下側ワッシャー７ａと下側ナット８ａは、本体２を据え付けしたい高さで吊りボルト６にセットされている。本実施の形態１の爪付きワッシャー９の形状および構造は図４のようになっており、後で詳しく説明する。
【００１７】
図３は、図１に示す空気調和機１００の取付後の状態を示す部分斜視図で、本体２の吊り金具４を吊りボルト６に締結した状態を示すものである。
本体２の吊り金具４を吊りボルト６に取り付ける際は、図２に示すように、上側ナット８ｂと上側ワッシャー７ｂを吊り金具４の取付に邪魔にならないように上方位置へ配置しておき、ついで吊りボルト６に側方から吊り金具４のガイドスリット４ｄを挿入し、長穴４ｃ内に吊りボルト６を通す。その後、長穴４ｃに沿って本体２の水平位置を調整したのち、図３に示すように、吊り金具４および爪付きワッシャー９を上下２枚のワッシャー７ｂ、７ａで挟み、さらにナット８ｂ、８ａで締め付け固定する。こうして本体２は所望の高さで吊りボルト６に取り付けられる。また、このとき、爪付きワッシャー９の爪は上向きになっており、吊り金具４の両側面に係合している。
【００１８】
図４は、本発明の実施の形態１の爪付きワッシャー９の斜視図である。
この爪付きワッシャー９は、吊りボルト６を通す長穴９ａと、両側端に上向きに曲げられた爪９ｂとを有する多角形の形状に形成されている。両側の爪９ｂと爪９ｂの間に吊り金具４の水平部４ｂが嵌り込むようになっている。このように爪付きワッシャー９の爪９ｂ、９ｂが吊り金具４の両側端面に係合することで、吊り金具４の爪４ｅと爪付きワッシャー９の爪９ｂ、９ｂとにより、吊り金具４と爪付きワッシャー９とが重ね合わせた状態に係合するため、吊り金具４を補強することができる。そのため、大地震で本体２が大きく上下・左右に揺らされ、本体２が大きく傾いた後で更に揺らされても、吊り金具４と爪付きワッシャー９が局所的な力に抵抗でき、吊り金具４の変形を抑制することができる。
また、爪付きワッシャー９は、吊り金具４のガイドスリット４ｄを塞ぐ形状（本例では平面部９ｄ）を有しており、さらに吊り金具４の下側に配置することで、吊り金具４の下向きの爪４ｅの内側に当接する端面９ｃを有している。そのため、吊り金具４と爪付きワッシャー９を変形させるような力（地震力）が作用しても、少なくとも爪付きワッシャー９の端面９ｃが吊り金具４の下向きの爪４ｅに係合するようになるため、平面部９ｄがガイドスリット４ｄを塞いでいることと相俟って、爪付きワッシャー９が吊り金具４から外れることがなく、したがって吊り金具４のガイドスリット４ｄから吊りボルト６が抜け出すことがないので、本体２の脱落を防止することができる。
また、爪付きワッシャー９に設けられた長穴９ａは、吊り金具４の長穴４ｃと同じ向きで、ほぼ同形状となっているので、本体２の取付位置の調整を妨げることはない。
【００１９】
なお、爪付きワッシャー９は、４箇所全ての吊り金具４に装着してもよいし、対角状の箇所の吊り金具４に装着してもよい。少なくとも対角状の箇所に爪付きワッシャー９を配置した場合は、それだけ取付作業が容易になるとともに、大地震に対しても対角位置の吊り金具４が吊りボルト６から外れることはないので、本体２の脱落を防ぐことができる。
【００２０】
実施の形態２．
図５は、本発明の実施の形態２の爪付きワッシャー９Ａの斜視図である。
本実施の形態２の爪付きワッシャー９Ａは、長穴９ａに吊りボルト６を導入するガイドスリット９ｅを有する点が、実施の形態１の爪付きワッシャー９と相違するだけである。
ガイドスリット９ｅは、吊り金具４のガイドスリット４ｄと重ならないように、長穴９ａに対し、ガイドスリット４ｄを塞ぐ平面部９ｄの反対側に設けられている。
【００２１】
この実施の形態２によれば、図２に示すように吊り金具４を吊りボルト６に締結する前に、爪付きワッシャー９を吊りボルト６へ配置しておかなくても、吊り金具４を吊りボルト６の下側にあるワッシャー７ａに引っ掛かるようにセットした後、後から爪付きワッシャー９Ａを吊り金具４とワッシャー７ａとの間に挿入することが可能となるため、本体２の取付作業がし易くなる。
【００２２】
以上の実施の形態１、２で説明した爪付きワッシャー９、９Ａは図示の例に限られない。例えば、吊り金具４のガイドスリット４ｄ内に係合する突起又は突条を爪付きワッシャー９、９Ａに設けてもよい。これにより、爪付きワッシャー９、９Ａの強度、剛性が向上する。
【符号の説明】
【００２３】
１  室内空間、２  本体、３  化粧パネル、３ａ  吸込グリル、３ｂ  吹出口、４  吊り金具、４ａ  垂直部、４ｂ  水平部、４ｃ  長穴、４ｄ  ガイドスリット、４ｅ  爪、５  天井、６  吊りボルト、７ａ  下側ワッシャー、７ｂ  上側ワッシャー、８ａ  下側ナット、８ｂ  上側ナット、９、９Ａ  爪付きワッシャー、９ａ  長穴、９ｂ  爪、９ｃ  端面、９ｄ  平面部、９ｅ  ガイドスリット、１００  空気調和機。
【図１】
0005911318.tif 000002
【図２】
0005911318.tif 000003
【図３】
0005911318.tif 000004
【図４】
0005911318.tif 000005
【図５】
0005911318.tif 000006